(57)【特許請求の範囲】
【請求項１】
プラグとこれを嵌合接続するレセプタクルから成るコネクタにおいて、上記プラグは、筒体内に設けたソケットインシュレータの前部を当該筒体前面から突出させ、別設のソケットコンタクトにケーブル端を半田付けして、これらの上に熱収縮チューブを被せて熱で収縮させ、これを上記ソケットインシュレータの後部に設けた防水ゴム体の孔及びこれに続くソケットインシュレータの孔に通し、ソケットコンタクトは上記ソケットインシュレータ内の孔に挿入して固定し、熱収縮チューブは上記防水ゴム体の孔内で圧縮保持され、ソケットコンタクトの基端部に取り付けたストッパーリングは一旦ソケットインシュレータの小径の孔で窄まって入り、その後大径の孔内で拡がっており、上記筒体の後端部に、予めケーブルへ挿入した後部筒の前端部を螺着して締め付け、これにより上記筒体の内部に環状の防水ゴム押さえを押し込み、この防水ゴム押さえにより上記防水ゴム体を外周から圧縮するとともに防水ゴム押さえの前方の筒体の内周とソケットインシュレータの外周との間に位置するオーリングを押圧する構成としたことを特徴とする、防水型コネクタ。
【請求項２】
上記レセプタクルが、筒状のシェルの中空部の一側に、ピンコンタクトの基部を貫通させた防水ゴムから成るピンインシュレータを圧入し、シェルの中空部の他側にピンコンタクトの先端部を突出させた構成としたことを特徴とする、上記請求項１項記載の防水型コネクタ。
【発明の詳細な説明】
【０００１】
【発明の属する技術分野】
この発明は制御器や自動開閉器等に使用される防水型コネクタであって、接続する二本のケーブルの各端部に夫々レセプタクル又はプラグを接続し、これらのレセプタクルとプラグを嵌合する構造の防水コネクタに関するものである。
【０００２】
【従来の技術】
現在使用されている屋外用防水型コネクタは、一般にレセプタクルとプラグを嵌合状態にして防水試験を行い、水面下５ｃｍに２４時間放置したとき、内部に水の浸入がない構造としている。現在使用されている防水コネクタは、図５に示すように、ケーブル５０をプラグ５１のコンタクト５２に接続後、コンタクト５２の根元を目張り処理して目張り処理層５３を形成し、これらを筒体５４に挿入後シール剤５５を充填している。またレセプタクル５６についても同様にピンコンタクト５７の根元を目張り処理して目張り処理層５８を設け、これらの上にシール剤５９を充填して防水性能を維持している。
【０００３】
【発明が解決しようとする課題】
しかしながらこれらの防水処理であると、熟練を要し、作業者によって防水性能にバラツキが発生している。ものによっては、防水性が満足できず、コネクタ内部に水が浸水し、リークしてしまう障害が発生している。またシースと絶縁体とのすき間からの浸水及び導体部からの浸水はコネクタ内部に充填するシール剤に頼っているのでシール剤の充填具合によっては防水性に欠ける。また外部からの浸水をパッキンで防いでいるため、内部に浸水した水は外部に排出することができない等の欠点がある。
【０００４】
そこでこの発明では、ケーブルシース表面を伝い、コネクタ内部に水の浸入が発生しても、リーク（ショート）することがなく、またシースと絶縁体との隙間からの浸水及び導体部からの浸水による、リークが無い、防水性能の高い防水コネクタを提供することを目的としたものである。
【０００５】
【課題を解決するための手段】
請求項１項の発明は、プラグとこれを嵌合接続するレセプタクルから成るコネクタにおいて、上記プラグは、筒体内に設けたソケットインシュレータの前部を当該筒体前面から突出させ、別設のソケットコンタクトにケーブル端を半田付けして、これらの上に熱収縮チューブを被せて熱で収縮させ、これを上記ソケットインシュレータの後部に設けた防水ゴム体の孔及びこれに続くソケットインシュレータの孔に通し、ソケットコンタクトは上記ソケットインシュレータ内の孔に挿入して固定し、熱収縮チューブは上記防水ゴム体の孔内で圧縮保持されている。またその際ソケットコンタクトの基端部に取り付けたストッパーリングは一旦ソケットインシュレータの小径の孔で窄まって入り、その後大径の孔内で拡がっている。そして上記筒体の後端部に、前もってケーブルへ挿入しておいた後部筒の前端部を螺着して締め付け、これにより上記筒体の内部に環状の防水ゴム押さえを押し込み、この防水ゴム押さえにより上記防水ゴム体を外周から圧縮するとともに防水ゴム押さえの前方の筒体の内周とソケットインシュレータの外周との間に位置するオーリングを押圧している構成とした。
【０００６】
また請求項２項の発明は、上記請求項１項の発明において、上記レセプタクルが、外周にフランジを有する筒状のシェルの中空部の一側に、ピンコンタクトを貫通させた防水ゴムから成るピンインシュレータを圧入し、シェルの中空部の他側にピンコンタクトの先端を突出させた構成としたものである。
【０００７】
【実施の形態例】
以下この発明の実施の形態例を図に基づいて説明する。
図１及び図２は防水型コネクタのプラグＡを示し、このプラグＡは、筒体１の内側に後部インシュレータ２と前部インシュレータ３を嵌入させ、これらの後部インシュレータ２と前部インシュレータ３とは凹凸嵌合により前後方向に接続され、ソケットインシュレータを構成している。そして前部インシュレータ３の先端部は上記筒体１の前端部から突出している。また上記後部インシュレータ２及び前部インシュレータ３には夫々前後方向に貫通した孔４、５を設け、これらは相互に連続している。そして前部インシュレータ３の孔５は後部インシュレータ２の孔４より大径となっているが、その前端部分は内径が窄まって小径となっていて、後述のソケットコンタクト６が前方に抜け出ないようになっている。またこれらの孔４、５は図示は省略したが、図２から分かるように間隔を開けて二組設けられている。
【０００８】
また別設のソケットコンタクト６にケーブル７の端部を半田付けして、これらの上に熱収縮チューブ８を被せて熱で収縮させ、これを上記後部インシュレータ２の後方に設けた短円柱状の防水ゴム体９の孔９ａ及びこれに続く後部インシュレータ２及び前部インシュレータ３の各孔４、５に通し、ソケットコンタクト６はこれらの孔４及び５に挿入して係止され、上記熱収縮チューブ８は上記防水ゴム体９の孔９ａ内で圧縮保持されている。その際ソケットコンタクト６の基端部外周に被冠、固定したスカート状のストッパーリング１０は、図示は省略するが外周にスリットを設けているため、一旦小径の孔４で窄まって入り、その後大径の孔５内に達して当該箇所で拡がる構成となっている。
【０００９】
また上記筒体１の後端部に、前もってケーブル７へ挿入した後部筒１１の前端部を螺着して締め付けている。これにより上記筒体１の内部に環状の防水ゴム押さえ１２を押し込み、この防水ゴム押さえ１２により上記防水ゴム体９を外周から圧縮するとともに防水ゴム押さえ１２の前方の筒体１の内周と後部インシュレータ２の外周との間に位置するオーリング１３を押圧する構成となっている。またこのオーリング１３の前方の筒体１の内周には止め輪１４が固定されている。また上記筒体１の前端部外周には環状の締め付け回転体１５が回転自在に係止され、その締め付け回転体１５の内周には内周ネジ部１５ａが設けられ、筒体１との間にはフリクションワッシャ１６及び止め輪１７が設けられている。また当該締め付け回転体１５の内周奥部の、筒体１の前端内周面と前部インシュレータ３の外周面との間にはオーリング１８が設けられている。
【００１０】
また上記後部筒１１の後端外周にはグランドナット１９が螺着され、そのグランドナット１９と一体なクランプサドル２０の中空部２０ａをケーブル７を内包したケーブルシース２１が貫通し、これによりクランプサドル２０はケーブルシース２１に支持されている。またこのクランプサドル２０の両側にはケーブシース２１への取付ネジ２２、２２が設けられている。なおこのクランプサドル２０部分ではパッキンを使用していないため、プラグＡの内圧が上がることはない。またこのコネクタを垂直方向に取付る場合は、プラグＡの内部に浸水した水は全て外部に排出されるものである。
【００１１】
次に図３及び図４は防水型コネクタのレセプタクルＢを示し、外周にフランジ２３ａを有する筒状のシェル２３の中空部の一側に、二本のピンコンタクト２４、２４を貫通させた防水ゴムから成るピンインシュレータ２５を圧入、充填し、シェル２３の中空部の他側にピンコンタクト２４、２４の先端を突出させている。このシェル２３の一端外周には外周ネジ部２３ｂを設け、またこのネジ部２３ｂと反対側となる、上記フランジ２３ａの一面にはガスケット２６が設けられ、これらのフランジ２３ａの外周に沿って間隔を開けて数個の、フランジ２３ａ及びガスケット２６を貫通するネジ穴２７、２７、２７を設けている。そして当該フランジ２３ａ及びガスケット２６を適宜の箇所（図示省略）に当接させて、これらのネジ穴２７を用いてネジ止めし、また上記二本のピンコンタクト２４、２４の後端には夫々ケーブル（図示省略）を接続する構成となっている。このレセプタクルＢはシェル２３の中空部へのピンインシュレータ２５の、圧入、充填により防水性能を維持している。
【００１２】
そして上記プラグＡとレセプタクルＢとを接続させるには、レセプタクルＢのピンコンタクト２４がプラグＡの前部インシュレータ３の各孔５に入るようにプラグＡの前部インシュレータ３をレセプタクルＢのシェル２３の中空部に挿入する。これにより各ピンコンタクト２４は各ソケットコンタクト６内に嵌合し、電気的に接続される。そしてプラグＡの締め付け回転体１５の内周ネジ部１５ａをレセプタクルＢのシェル２３の外周ねじ部２３ｂに螺着し、締め付け回転体１５を回して締め付ける。これによりシェル２３の前端部は、締め付け回転体１５の内周奥部のオーリング１８を押圧し、当該オーリング１８は上記筒体１の前端内周面と前部インシュレータ３の外周面との間隙を圧接する。これにより接続は完了する。
【００１３】
上記実施の形態例においては、ソケットコンタクト６の基端部外周に被冠、固定したストッパーリング１０は、後部インシュレータ２及び前部インシュレータ３の各孔４、５に挿入される際、一旦小径の孔４で窄まって入り、その後大径の孔５内に達して当該箇所で拡がる構成となっているため、ソケットコンタクト６は後方には抜けなく、また前方には前部インシュレータ３の孔５の前端部の径がソケットコンタクト６の外径より小さく窄まっているため、抜けることがない。またソケットコンタクト６にケーブル７の端部を半田付けして、これらの上に熱収縮チューブ８を被せて熱で収縮させているため、ケーブル７を伝わった水は当該熱収縮チューブ８で遮断され、ソケットコンタクト６には浸入しない。
【００１４】
さらにこれらの各熱収縮チューブ８は、後部筒１１の筒体１への螺着、締め付けによって防水ゴム押さえ１２が押さえ付けられ、この防水ゴム押さえ１２により防水ゴム体９が締め付けられて、その外周を圧迫される。従って外部から後部筒１１内に入った水がソケットコンタクト６の部分へ浸入してくるおそれがない。またこれと同時に、後部筒１１の筒体１への螺着、締め付けによって防水ゴム押さえ１２が押さえ付けられ、この防水ゴム押さえ１２が止め輪１４との間でオーリング１３を押圧し、このオーリング１３により筒体１と後部筒１１との接続による外部からの水の浸入を防いでいる。また当該プラグＡの前部インシュレータ３の前方からの防水は、レセプタクルＢに嵌合することによりピンインシュレータ２５が上記前部インシュレータ３の前面を塞ぎ、防水となる。そしてまたレセプタクルＢに嵌合することにより、オーリング１８がレセプタクルＢのシェル２３の前端部、筒体１の内周面及び前部インシュレータ３の外周面との間で押圧され、これらの嵌合を密着させ、防水となる。
【００１５】
なお上記実施の形態例においては、コネクタのプラグ側とレセプタクル側の両方を防水性能を有するものとしたが、レセプタクル側が防水された機器内に固定されている場合もあり、従って少なくともプラグ側を防水構造にしたものであれば良い。
【００１６】
【発明の効果】
従来の防水型コンネクタは、コンタクトとケーブルを接続した後に目張り処理及びシール剤の充填処理をするため、熟練を要するが、請求項１項の発明のプラグでは、これらの目張り処理やシール剤の充填に代えて、熱収縮チューブや防水ゴム、防水ゴム押さえ等を用いているため、熟練を要せず、誰にでも均一に処理でき、それ故品質の安定化が得られる。
【００１７】
即ち、ソケットコンタクトにケーブルの端部を半田付けして、これらの上に熱収縮チューブを被せて熱で収縮させているため、ケーブルを伝わった水は当該熱収縮チューブで遮断され、ソケットコンタクトには浸入しない。さらに後部筒の筒体への螺着、締め付けによって防水ゴム押さえが押さえ付けられ、この防水ゴム押さえを介して防水ゴム体が締め付けられて、上記熱収縮チューブはその外周を圧迫される。従って外部から後部筒内に入った水がソケットコンタクトの部分へ浸入してくるおそれがない。またこれと同時に、後部筒の筒体への螺着、締め付けによって防水ゴム押さえが押さえ付けられ、この防水ゴム押さえがオーリングを押圧し、このオーリングにより筒体と後部筒との接続による外部からの水の浸入を防いでいる。従って従来のものより防水効果が高い。
【００１８】
また請求項２項の発明は、上記請求項１項の発明の効果に加え、プラグを接続するレセプタクルの構成をシェルの中空部にピンインシュレータを圧入、充填しているため、防水性を有し、コネクタ全体の防水効果がより完全となっている。それ故これらのプラグ及びレセプタクルともに屋外に設置しても、防水性が維持できる。
【図面の簡単な説明】
【図１】この発明の実施の形態例のプラグの一部断面側面図である。
【図２】この発明の実施の形態例のプラグの正面図である。
【図３】この発明の実施の形態例のレセプタクルの一部断面側面図である。
【図４】この発明の実施の形態例のレセプタクルの正面図である。
【図５】従来例におけるプラグとレセプタクルの一部断面側面図である。
【符号の説明】
１    筒体                        ２    後部インシュレータ
３    前部インシュレータ          ４    孔
５    孔                          ６    ソケットコンタクト
７    ケーブル                    ８    熱収縮チューブ
９    防水ゴム体                １０    ストッパーリング
１１    後部筒                    １２    防水ゴム押さえ
１３    オーリング                １５    締め付け回転体
１８    オーリング                １９    グランドナット
２０    クランプサドル            ２１    ケーブルシース
２３    シェル                    ２４    ピンコンタクト
２５    ピンインシュレータ
【図１】
0003944544.tif 000002
【図２】
0003944544.tif 000003
【図３】
0003944544.tif 000004
【図４】
0003944544.tif 000005
【図５】
0003944544.tif 000006